(57)【特許請求の範囲】
【請求項１】
シリコーンゴムと粘度が互いに異なる少なくとも２種類の増粘剤との混合物を含んで構成され、内部に空洞が形成された第１の層と、
該第１の層よりも外側に配置されており、同第１の層よりも硬く、シリコーンゴムを含んで構成された第２の層とを備える
人工乳房。
【請求項２】
前記第２の層よりも外側に配置されており、着色料を含んで構成された着色層と、
該着色層よりも外側に配置されており、同着色層の剥離を抑制可能なカバー層とを備える
請求項１に記載の人工乳房。
【請求項３】
前記着色層は、乳首を表示した乳首領域を有し、同乳首領域は同着色層の他の領域と略同一面内に位置する
請求項２に記載の人工乳房。
【請求項４】
前記カバー層よりも外側に配置されており、同カバー層または前記着色層の光の反射を抑制可能な反射抑制層を備える
請求項２に記載の人工乳房。
【請求項５】
前記第２の層よりも外側に配置されており、物質を遮断可能であり、透明である薄膜層を備える
請求項１に記載の人工乳房。
【請求項６】
最も外側に配置された層に着脱可能に配置されており、粘着性材料を含んで構成された粘着層を備える
請求項５に記載の人工乳房。
【請求項７】
前記第１の層及び前記第２の層を貫通していると共に外部と前記空洞とを連通しており、かつ、同空洞内の気体または液体が外部へ漏れ難い大きさの貫通孔が同第１の層及び同第２の層に形成された
請求項１に記載の人工乳房。
【請求項８】
シリコーンゴムを含んで構成され、内部に空洞が形成されたシリコーンゴム層と、
該シリコーンゴム層の、前記空洞とは反対側の一部に設けられており、シリコーンゴムと粘度が互いに異なる少なくとも２種類の増粘剤との混合物を含んで構成された乳首部と、
前記シリコーンゴム層よりも外側及び前記乳首部よりも外側に配置されており、着色料を含んで構成された着色層と、
該着色層よりも外側に配置されており、同着色層の剥離を抑制可能なカバー層と、
該カバー層よりも外側に配置されており、同カバー層または前記着色層の光の反射を抑制可能な反射抑制層とを備える
人工乳房。
【請求項９】
シリコーンゴムと粘度が互いに異なる少なくとも２種類の増粘剤との混合物を含んで構成された本体層と、
該本体層よりも外側に配置されており、着色料を含んで構成された着色層と、
該着色層よりも外側に配置されており、同着色層の剥離を抑制可能なカバー層と、
該カバー層よりも外側に配置されており、同カバー層または前記着色層の光の反射を抑制可能な反射抑制層とを備える
人工乳首。
【発明の詳細な説明】
【技術分野】
【０００１】
本発明は人工乳房及び人工乳首に関する。詳しくは、例えば乳房を喪失してしまった女性のための、人工乳房及び人工乳首に係るものである。
【背景技術】
【０００２】
女性にとって乳房が変形したり乳房を喪失したりすることは、精神に大きな衝撃を与えることになる。
そして、下着を着用するときに補正パットが必要となるなど、日常生活にも支障が出て生活の質が低下してしまう。【０００３】
そこで、生活の質を向上させるべく、変形した乳房や喪失した乳房を、できる限り通常の状態に戻すための方法として、乳房再建手術が行われている。
しかし、乳房再建手術は、感染症や皮膚の壊死を引き起こすなどのデメリットを有する。【０００４】
一方、このようなデメリットを嫌って、乳房再建手術を行わず、人工物である人工乳房を胸部の皮膚に貼り付ける女性も多数存在しており、様々な人工乳房が提案されている。【０００５】
例えば特許文献１には、図５に示されるような人工乳房が記載されている。
すなわち、特許文献１に記載の人工乳房１０１は、表面側となる椀状の外皮部１０２と、底皮部（底面部）１０３とにより構成されている。
また、外皮部１０２と底皮部１０３との間に内部空間１０４が形成されており、人工乳房１０１は全体として中空の袋状体となっている。【０００６】
また、外皮部１０２と底皮部１０３は、医療用のシリコーンゴム等の軟質性樹脂から形成されており、外皮部１０２の表面は、装着者である使用者の胸部の色に合わせて着色される。【０００７】
外皮部１０２の中央付近には乳頭部１０５が設けられている。
また、底皮部１０３の中央付近には、外皮部１０２側に窪むように凹部１０６が形成されており、凹部１０６と外皮部１０２との間には、内部空間１０４が形成されている。
また、凹部１０６の中央部には内部空間１０４に空気の出し入れを行うことで内部空間１０４の空気圧を調整できるよう、針挿通弁１０７が形成されている。
【先行技術文献】
【特許文献】
【０００８】
【特許文献１】特開２０１６−２０９３４０号公報
【発明の概要】
【発明が解決しようとする課題】
【０００９】
ところで、人工乳房は人体に直に装着されて日常的に使用されるため、人工乳房のシリコーンゴムが劣化して、人間の乳房と比べて不自然な硬さになり易かった。【００１０】
本発明は、以上の点に鑑みて創案されたものであり、人間の乳房と比べて不自然になり難い人工乳房、並びに人間の乳首と比べて不自然になり難い人工乳首を提供することを目的とする。
【課題を解決するための手段】
【００１１】
上記の目的を達成するために、本発明の人工乳房は、シリコーンゴムと粘度が互いに異なる少なくとも２種類の増粘剤との混合物を含んで構成され、内部に空洞が形成された第１の層と、該第１の層よりも外側に配置されており、同第１の層よりも硬く、シリコーンゴムを含んで構成された第２の層とを備える。【００１２】
ここで、シリコーンゴムと粘度が互いに異なる少なくとも２種類の増粘剤との混合物を含んで構成された第１の層によって、このような増粘剤を含まない人工乳房よりも柔らかい上に、その柔らかさを長期間持続させることができる。【００１３】
また、第１の層よりも外側に配置されており、第１の層よりも硬い第２の層によって、人工乳房の形状を整えることができる。【００１４】
また、シリコーンゴムと粘度が互いに異なる少なくとも２種類の増粘剤との混合物を含んで構成された第１の層と、第１の層よりも外側に配置されており、第１の層よりも硬い第２の層とによって、内側から外側へ向けて段階的に硬くなっているので、外部から力を付与されても不自然なシワを生じ難い。【００１５】
また、本発明の人工乳房は、第２の層よりも外側に配置されており、着色料を含んで構成された着色層と、着色層よりも外側に配置されており、着色層の剥離を抑制可能なカバー層とを備える構成とすることができる。【００１６】
この場合、第２の層よりも外側に配置されており、着色料を含んで構成された着色層によって、外部彩色とすることができ、第１の層または第２の層が着色料を含む内部彩色の場合よりも人間の肌の質感に近似させることができる。【００１７】
また、着色層よりも外側に配置されており、着色層の剥離を抑制可能なカバー層によって、近似させた人間の肌の質感を維持できる。【００１８】
さらに、本発明の人工乳房において、着色層は、乳首を表示した乳首領域を有し、乳首領域は着色層の他の領域と略同一面内に位置する構成とすることができる。【００１９】
この場合、服を通して見ても乳首が目立たないようにすることができる。【００２０】
また、本発明の人工乳房は、カバー層よりも外側に配置されており、カバー層または着色層の光の反射を抑制可能な反射抑制層を備える構成とすることができる。【００２１】
この場合、さらに人間の肌の質感に近似させることができる。【００２２】
また、本発明の人工乳房は、第２の層よりも外側に配置されており、物質を遮断可能であり、透明である薄膜層を備える構成とすることができる。【００２３】
この場合、薄膜層が物質を遮断できるので、人工乳房の外部から物質が第１の層や第２の層に入り込まないようにしたり、第１の層または第２の層に含まれている物質が人工乳房の外部へ漏れ出ないようにしたりすることができる。
また、薄膜層は透明であるので、違和感がない。【００２４】
また、本発明の人工乳房は、最も外側に配置された層に着脱可能に配置されており、粘着性材料を含んで構成された粘着層を備える構成とすることができる。
この場合、人体に対する人工乳房の接着力を向上できる。【００２５】
また、本発明の人工乳房において、第１の層及び第２の層を貫通していると共に外部と空洞とを連通しており、かつ、空洞内の気体または液体が外部へ漏れ難い大きさの貫通孔が第１の層及び第２の層に形成された構成とすることができる。【００２６】
この場合、貫通孔を通して、本発明の人工乳房の外部から第１の層の内部に形成された空洞へ気体または液体を導入し、導入された気体または液体を空洞内に、とどめておくことができる。【００２７】
また、上記の目的を達成するために、本発明の人工乳房は、シリコーンゴムを含んで構成され、内部に空洞が形成されたシリコーンゴム層と、該シリコーンゴム層の、前記空洞とは反対側の一部に設けられており、シリコーンゴムと粘度が互いに異なる少なくとも２種類の増粘剤との混合物を含んで構成された乳首部と、前記シリコーンゴム層よりも外側及び前記乳首部よりも外側に配置されており、着色料を含んで構成された着色層と、該着色層よりも外側に配置されており、同着色層の剥離を抑制可能なカバー層と、該カバー層よりも外側に配置されており、同カバー層または前記着色層の光の反射を抑制可能な反射抑制層とを備える。【００２８】
ここで、シリコーンゴムと粘度が互いに異なる少なくとも２種類の増粘剤との混合物を含んで構成された乳首部によって、このような増粘剤を含まない乳首部よりも柔らかい上に、その柔らかさを長期間持続させることができる。【００２９】
また、シリコーンゴム層よりも外側及び乳首部よりも外側に配置されており、着色料を含んで構成された着色層によって、外部彩色とすることができ、シリコーンゴムが着色料を含む内部彩色の場合よりも人間の肌の質感に近似させることができる。【００３０】
また、着色層よりも外側に配置されており、着色層の剥離を抑制可能なカバー層によって、近似させた人間の肌の質感を維持し易い。【００３１】
また、カバー層よりも外側に配置されており、カバー層または着色層の光の反射を抑制可能な反射抑制層によって、さらに人間の肌の質感に近似させることができる。【００３２】
また、上記の目的を達成するために、本発明の人工乳首は、シリコーンゴムと粘度が互いに異なる少なくとも２種類の増粘剤との混合物を含んで構成された本体層と、該本体層よりも外側に配置されており、着色料を含んで構成された着色層と、該着色層よりも外側に配置されており、同着色層の剥離を抑制可能なカバー層と、該カバー層よりも外側に配置されており、同カバー層または前記着色層の光の反射を抑制可能な反射抑制層とを備える。【００３３】
ここで、シリコーンゴムと粘度が互いに異なる少なくとも２種類の増粘剤との混合物を含んで構成された本体層によって、このような増粘剤を含まない人工乳首よりも柔らかい上に、その柔らかさを長期間持続させることができる。【００３４】
また、本体層よりも外側に配置されており、着色料を含んで構成された着色層によって、外部彩色とすることができ、シリコーンゴムが着色料を含む内部彩色の場合よりも人間の肌の質感に近似させることができる。【００３５】
また、着色層よりも外側に配置されており、着色層の剥離を抑制可能なカバー層によって、近似させた人間の肌の質感を維持できる。【００３６】
また、カバー層よりも外側に配置されており、カバー層または着色層の光の反射を抑制可能な反射抑制層によって、さらに人間の肌の質感に近似させることができる。
【発明の効果】
【００３７】
本発明に係る人工乳房は、人間の乳房と比べて不自然になり難い。
本発明に係る人工乳首は、人間の乳首と比べて不自然になり難い。
【図面の簡単な説明】
【００３８】
【図１】本発明を適用した人工乳房の第１の実施形態を示す概略断面図である。
【図２】本発明を適用した人工乳房の第２の実施形態の概略平面図（ａ）と、図２（ａ）に示す人工乳房をＡ−Ａ線に沿って切断したときの乳首領域付近の概略部分断面図（ｂ）である。
【図３】本発明を適用した人工乳首の一例を示す概略断面図である。
【図４】人体の胸部に装着された、本発明を適用した第１の実施形態の人工乳房の概略断面図である。
【図５】従来の人工乳房の概略断面図である。
【発明を実施するための形態】
【００３９】
以下、本発明の実施の形態について図面を参照しながら説明し、本発明の理解に供する。
図１は、本発明を適用した人工乳房の第１の実施形態を示す概略断面図である。
【００４０】
図１に示す本発明の人工乳房１は、第１の層２を備える。
ここで、第１の層２は、シリコーンゴムと、粘度が互いに異なる少なくとも２種類の増粘剤との混合物を含んで構成されている。
また、第１の層２の内部には空洞２Ａが形成されている。
また、このような構成である第１の層２の柔らかさは、このような増粘剤を含まないシリコーンゴム層の柔らかさよりも柔らかく、また、その柔らかさは少なくとも２年間は持続する。
【００４１】
また、第１の層２の、空洞２Ａとは反対側の湾曲した部分の一部には、突起した乳首部２Ｂが一体的に設けられているが、乳首部を別体として第１の層２に取付けることもできる。
【００４２】
また、第１の層２に使用されるシリコーンゴムとしては、様々なシリコーンゴムを使用することができるが、具体的には例えば、常温における粘度が１５００〜６０００ｍＰａ・ｓを有するシリコーンゴムが挙げられる。
【００４３】
また、第１の層２に使用される増粘剤としては、粘度が互いに異なる少なくとも２種類の増粘剤であれば、特に制限はない。
また、このような増粘剤としては具体的には例えば、常温における粘度が１００〜２５００ｍＰａ・ｓを有する増粘剤からなる群から選ばれる、粘度が互いに異なる少なくとも２種類の増粘剤が挙げられる。
【００４４】
また、第１の層２が、シリコーンゴムと粘度が互いに異なる少なくとも２種類の増粘剤との混合物を含んで構成されていれば、さらにウレタンゴムなど別のゴムを混合できる。
【００４５】
また、本発明の人工乳房１は、第２の層３を備える。
ここで、第２の層３は、シリコーンゴムを含んで構成されている。
また、第２の層３は、第１の層２よりも外側に配置されており、第１の層２よりも硬い層である。
すなわち、第２の層３は、第１の層２全体を覆った状態で第１の層２の外側部分に積層されている。
【００４６】
また、第２の層３に使用されるシリコーンゴムとしては、第１の層２に使用されるシリコーンゴムよりも硬くなるものであれば、どのようなものでも使用できる。
【００４７】
また、本発明の人工乳房１は、外被層４を備える。
ここで、外被層４は、第２の層３よりも外側に配置されている。すなわち、外被層４は、第２の層３の、第１の層２とは反対側であって湾曲した部分に積層されている。
また、第２の層３の湾曲した部分は、本発明の人工乳房１を人体の胸部に装着したときに表面側に位置することになる部分である。
【００４８】
また、外被層４は、着色層４１と、カバー層４２と、反射抑制層４３とで構成されている。
【００４９】
ここで、着色層４１は、着色料、具体的には例えば顔料を含んで構成されている。
また、着色層４１は、第２の層３の、第１の層２とは反対側であって湾曲した部分に積層されている。
【００５０】
また、カバー層４２は、着色層４１の剥離を抑制可能である。
また、カバー層４２は、着色層４１よりも外側に配置されている。すなわち、カバー層４２は、着色層４１の、第２の層３とは反対側に積層されている。
【００５１】
また、反射抑制層４３は、カバー層４２または着色層４１の表面を粗くして、カバー層４２または着色層４１の光の反射を抑制可能である。
また、反射抑制層４３は、カバー層４２よりも外側に配置されている。すなわち、反射抑制層４３は、カバー層４２の、着色層４１とは反対側に積層されている。
【００５２】
また、カバー層４２と反射抑制層４３は着色層４１が示す色を遮るものではなく、カバー層４２と反射抑制層４３が着色層４１よりも外側に配置されているが、カバー層４２と反射抑制層４３を通して着色層４１が示す色を視認できる。
【００５３】
また、本発明の人工乳房１は、図１に示すように、人体の胸部に装着されたときに表面側に位置することになる湾曲した湾曲部分と、人体の胸部に装着されたときに胸部に向けられる裏面側に位置することになる略平坦な平坦部分とを有する。
そして、湾曲部分と平坦部分とが連接した部分を周縁部とする。
【００５４】
また、本発明の人工乳房の、人体の胸部に装着されたときに胸部に向けられる裏面側に凹部を形成することもできる。
【００５５】
また、本発明の人工乳房１は、薄皮部５を備える。
ここで、薄皮部５は、シリコーンゴムを含んで構成されており、透明と成るほど薄く、そして柔らかい部分である。
また、薄皮部５は、第２の層３よりも外側であって周縁部全体に設けられている。
従って、本発明の人工乳房１を人体の胸部に装着したときに、人間の肌の色を透過させることができる。
【００５６】
ここで、薄皮部５は、第２の層３とは別体として第２の層３に取付けられているが、第１の層２及び第２の層３と一体的に、または第２の層３と一体的に設けられていてもよい。
【００５７】
また、本発明の人工乳房１は、ポリエチレンシート層６を備える。
ここで、ポリエチレンシート層６は、空気や水分やリン物質などを遮断可能であり、透明である。
また、ポリエチレンシート層６の厚さは具体的には例えば１０〜２０μｍであるが、この厚さに限定されないことは勿論である。
ポリエチレンは薄膜層の材料の一例であり、物質を遮断可能であり透明であれば、薄膜層として他の材料を用いることができる。
【００５８】
また、ポリエチレンシート層６は、第２の層３よりも外側に配置されている。すなわち、ポリエチレンシート層６は、第２の層３の、第１の層２とは反対側であって略平坦な部分に積層されている。
また、ポリエチレンシート層６の一部は、薄皮部５にも積層されている。
ポリエチレンシート層６は、薄膜層の一例である。
【００５９】
また、ポリエチレンシート層６などの薄膜層を、例えば第１の層２と第２の層３との間に挟んだ状態で配置することもできる。
この場合、ポリエチレンシート層などの薄膜層が第１の層全体を覆って配置された構成となるので、例えば第１の層の内部の空洞に液体を入れておいても、ポリエチレンシート層などの薄膜層によって、本発明の人工乳房の表面から内部の液体が外部へ滲み出ないようにすることができる。
【００６０】
また、本発明の人工乳房１は、粘着層７を備える。
ここで、粘着層７は、シリコーンゲルを含んで構成されており、最も外側に配置されたポリエチレンシート層６に着脱可能に配置される。
【００６１】
すなわち、粘着層７は、ポリエチレンシート層６にカバー層４２を介して着脱可能に積層されるが、カバー層４２を省略することもできる。
また、カバー層４２を構成する材料とは異なる材料で構成された別のカバー層を介して、粘着層７をポリエチレンシート層６に着脱可能に積層することもできる。
【００６２】
シリコーンゲルは粘着性材料の一例であり、粘着性材料としては、例えば、シリコーンゲルとシリコーンゴムの混合物を使用することもできる。
【００６３】
また、本発明の人工乳房１が備える第１の層２及び第２の層３には、貫通孔９が形成されている。
ここで、貫通孔９は、第１の層２及び第２の層３を貫通していると共に、本発明の人工乳房１の外部と第１の層２の内部の空洞２Ａとを連通している。
【００６４】
また、貫通孔９の大きさは、空洞２Ａ内の気体または液体が本発明の人工乳房１の外部へ漏れ難い大きさである。
ここで、貫通孔９の大きさは、具体的には貫通孔９の貫通方向に対して略直交する方向の長さであり、具体的には例えば０．１〜１ｍｍである。なお、図１には、貫通孔９が便宜的に視認できる大きさで示されている。
【００６５】
また、貫通孔９はこのような大きさであり、そして、シリコーンゴムを含んで構成された第１の層２と、シリコーンゴムを含んで構成された第２の層３とに形成されているので、ゴムの収縮または伸長によって、貫通孔９は収縮して閉じ易いと共に、針などで簡単に拡げられて開放し易い。
【００６６】
また、貫通孔９は、第１の層２と第２の層３が互いに重なった部分の中で比較的厚い部分に形成される。図１に示す例では、本発明の人工乳房１の周縁部に貫通孔９は形成されているが、貫通孔９の形成箇所は周縁部に限定されないことは勿論である。
例えば、乳首部２Ｂを貫通して貫通孔９を形成したり、第２の層３の、第１の層２と接する側にシリコーンゴムの塊を作って厚い部分と成し、この塊を貫通して貫通孔９を形成したりすることもできる。
【００６７】
また、貫通孔９に、例えば注射器の針や、テニスボール用空気入れの針を挿入して、空洞２Ａへ気体または液体を導入することができる。
【００６８】
本発明の人工乳房は、必ずしも着色層を備えていなくてもよく、例えば、第１の層または第２の層が着色料を含むこともできる。
【００６９】
しかし、本発明の人工乳房が着色層を備えていれば、外部彩色とすることができ、第１の層または第２の層が着色料を含む内部彩色の場合よりも人間の肌の質感に近似させることができるので好ましい。
【００７０】
また、本発明の人工乳房は、必ずしもカバー層を備えていなくてもよい。
しかし、本発明の人工乳房がカバー層を備えていれば、近似させた人間の肌の質感を維持し易いので好ましい。
【００７１】
また、本発明の人工乳房は、必ずしも反射抑制層を備えていなくてもよい。
しかし、本発明の人工乳房が反射抑制層を備えていれば、さらに人間の肌の質感に近似させることができるので好ましい。
【００７２】
また、本発明の人工乳房は、必ずしもポリエチレンシート層すなわち薄膜層を備えていなくてもよい。
【００７３】
しかし、本発明の人工乳房が薄膜層を備えていれば、薄膜層が物質を遮断できるので、人工乳房の外部から物質が第１の層や第２の層に入り込まないようにしたり、第１の層または第２の層に含まれている物質が人工乳房の外部へ漏れ出ないようにしたりすることができ、好ましい。
特に、第１の層または第２の層に入り込んだ角質やリンなどの物質が粘着層へ移行して入り込んでしまうと、粘着層の粘着力が低下してしまうので、薄膜層によって粘着層の粘着力低下を抑制できる。
【００７４】
また、本発明の人工乳房は、本発明の人工乳房を人間の胸部に装着できるのであれば、必ずしも粘着層を備えていなくてもよく、他の接着剤を用いて本発明の人工乳房を人間の胸部に装着することもできる。
しかし、本発明の人工乳房が粘着層を備えていれば、人体に対する本発明の人工乳房の接着力を向上できるので好ましい。
【００７５】
また、本発明の人工乳房において、必ずしも貫通孔は形成されていなくてもよいが、貫通孔が形成されていれば、貫通孔を通して、本発明の人工乳房の外部から第１の層の内部に形成された空洞へ気体または液体を導入し、導入された気体または液体を空洞内に、とどめておくことができるので好ましい。
【００７６】
図２（ａ）は、本発明を適用した人工乳房の第２の実施形態の概略平面図であり、図２（ｂ）は、図２（ａ）に示す人工乳房をＡ−Ａ線に沿って切断したときの乳首領域付近の概略部分断面図である。
【００７７】
図２に示す本発明の第２の実施形態の人工乳房１は、第１の層２に乳首部が設けられておらず、着色層４１が、乳首を表示した乳首領域４１Ａを有し、乳首領域４１Ａは着色層４１の他の領域と略同一面内に位置する点で、図１に示す本発明の第１の実施形態の人工乳房１と異なる。
なお、その他の点では、本発明の第２の実施形態の人工乳房は、本発明の第１の実施形態の人工乳房と同じである。
【００７８】
ここで、乳首領域４１Ａは、乳頭領域４１Ａａと、乳頭領域４１Ａａの周囲に示された乳輪領域４１Ａｂとで構成されている。
【００７９】
図２に示すように、本発明の第２の実施形態の人工乳房１において、乳首領域４１Ａは着色層４１の他の領域と略同一面内に位置しており、突出していないので、本発明の第２の実施形態の人工乳房１を装着することで、服を通して見ても乳首が目立たないようにすることができる。
【００８０】
図３は、本発明を適用した人工乳首の一例を示す概略断面図である。
図３に示す本発明の人工乳首１１は、本体層１２を備える。
ここで、本体層１２は、第１の本体構成層１２Ａと、第２の本体構成層１２Ｂと、第３の本体構成層１２Ｃとで構成されている。
【００８１】
また、第１の本体構成層１２Ａは、シリコーンゴムと、粘度が互いに異なる少なくとも２種類の増粘剤との混合物を含んで構成されている。
また、第１の本体構成層１２Ａの一方側の一部には、突起した乳頭部１２Ａａが一体的に設けられている。
【００８２】
また、このような構成の第１の本体構成層１２Ａの柔らかさは、このような増粘剤を含まないシリコーンゴム層の柔らかさよりも柔らかく、また、その柔らかさは少なくとも２年間は持続する。
【００８３】
また、第１の本体構成層１２Ａに使用されるシリコーンゴムとしては、様々なシリコーンゴムを使用することができるが、具体的には例えば、本発明の人工乳房１が備える第１の層２に使用されるシリコーンゴムと同じシリコーンゴムを使用できる。
すなわち、第１の本体構成層１２Ａに使用されるシリコーンゴムとしては、具体的には例えば、常温における粘度が１５００〜６０００ｍＰａ・ｓを有するシリコーンゴムが挙げられる。
【００８４】
また、第１の本体構成層１２Ａに使用される増粘剤としては、粘度が互いに異なる少なくとも２種類の増粘剤であれば、特に制限はない。
【００８５】
具体的には例えば、本発明の人工乳房１が備える第１の層２に使用される増粘剤と同じ増粘剤を使用できる。
すなわち、第１の本体構成層１２Ａに使用される増粘剤としては、具体的には例えば、常温における粘度が１００〜２５００ｍＰａ・ｓを有する増粘剤からなる群から選ばれる、粘度が互いに異なる少なくとも２種類の増粘剤が挙げられる。
【００８６】
また、第２の本体構成層１２Ｂは、シリコーンゴムを含んで構成されている。
また、第２の本体構成層１２Ｂは、第１の本体構成層１２Ａよりも外側に配置されており、第１の本体構成層１２Ａよりも硬い層である。
すなわち、第２の本体構成層１２Ｂは、第１の本体構成層１２Ａの、乳頭部１２Ａａが設けられた一方側に積層されている。
【００８７】
また、第３の本体構成層１２Ｃは、シリコーンゴムを含んで構成されている。
また、第３の本体構成層１２Ｃは、第１の本体構成層１２Ａよりも内側に配置されており、第１の本体構成層１２Ａよりも硬い層である。
【００８８】
すなわち、第３の本体構成層１２Ｃは、第１の本体構成層１２Ａの乳頭部１２Ａａが設けられた一方側とは反対側に積層されている。
【００８９】
また、第２の本体構成層１２Ｂが含むシリコーンゴムと、第３の本体構成層１２Ｃが含むシリコーンゴムは互いに同じであるが、互いに異なっていてもよい。
【００９０】
また、本体層１２は、シリコーンゴムを含んで構成されたシリコーンゴム層、例えば人工乳房に取付可能である。
【００９１】
ここで、シリコーンゴムを含んで構成されたシリコーンゴム層に取付可能な本体層１２によって、本発明の人工乳首１１を、内部に空洞が形成された中空タイプの人工乳房や、内部に空洞は形成されておらずシリコーンゴムが隙間なく存在する充填タイプの人工乳房に取付けることができる。
【００９２】
また、本発明の人工乳首１１を、人体に取付けることもできる。
【００９３】
また、本発明の人工乳首１１は、粘着層１５を備える。
ここで、粘着層１５は、シリコーンゲルを含んで構成されており、本体層１２の最も外側に配置された第３の本体構成層１２Ｃに着脱可能に配置される。
【００９４】
また、本発明の人工乳首１１を人体に取付ける場合には、本発明の人工乳首１１は粘着層１５を備えるようにすることができる。
また、本発明の人工乳首１１を人工乳房に取付ける場合には、本発明の人工乳首１１は粘着層１５を備えないようにして、本発明の人工乳首１１を半永久的に取付けるために接着剤などを使用するようにすることができる。
【００９５】
また、本発明の人工乳首１１は、外被層１３を備える。
ここで、外被層１３は、本体層１２よりも外側に配置されている。すなわち、外被層１３は、第２の本体構成層１２Ｂの、第１の本体構成層１２Ａとは反対側に積層されている。
また、第２の本体構成層１２Ｂの、外被層１３が積層される部分は、本発明の人工乳首１１を人工乳房に取付けたときに表面側に位置することになる部分である。
【００９６】
また、外被層１３は、着色層１３１と、カバー層１３２と、反射抑制層１３３とで構成されている。
【００９７】
ここで、着色層１３１は、着色料、具体的には例えば顔料を含んで構成されている。
また、着色層１３１は、第２の本体構成層１２Ｂの、第１の本体構成層１２Ａとは反対側に積層されている。
【００９８】
また、カバー層１３２は、着色層１３１の剥離を抑制可能である。
また、カバー層１３２は、着色層１３１よりも外側に配置されている。すなわち、カバー層１３２は、着色層１３１の、第２の本体構成層１２Ｂとは反対側に積層されている。
【００９９】
また、反射抑制層１３３は、カバー層１３２よりも外側に配置されている。すなわち、反射抑制層１３３は、カバー層１３２の、着色層１３１とは反対側に積層されている。
【０１００】
また、本発明の人工乳首１１は、薄皮部１４を備える。
ここで、薄皮部１４は、第１の本体構成層１２Ａの縁部と、第２の本体構成層１２Ｂの縁部と、第３の本体構成層１２Ｃの縁部とで構成されており、透明または半透明と成るほど薄い部分である。
【０１０１】
また、薄皮部１４は、本体層１２と一体的に設けられているが、本体層１２とは別体として本体層１２の縁部に取付けることもできる。
【０１０２】
また、本発明の人工乳首１１が備える本体層１２は、乳頭部１２Ａａを除くと図３に示すように略平坦形状を有しているが、本体層１２は、例えば乳頭部１２Ａａが設けられた側へ山状に湾曲した形状を有することもできる。
【０１０３】
また、本発明の人工乳首は、必ずしも粘着層を備えていなくてもよい。
しかし、本発明の人工乳首が粘着層を備えていれば、人体に対する本発明の人工乳首の接着力を向上できるので好ましい。
【０１０４】
図４は、人体の胸部に装着された、本発明を適用した第１の実施形態の人工乳房の概略断面図である。
図４に示すように、本発明の第１の実施形態の人工乳房１は、ポリエチレンシート層６と人間の胸部８との間に粘着層７を挟んだ状態で、胸部８に装着される。
【０１０５】
また、本発明の第１の実施形態の人工乳房１を胸部８から取外すときは、例えば本発明の人工乳房１の薄皮部５を指で摘み、本発明の人工乳房１をやや圧縮して粘着層７と胸部８との間に空気を入れるようにしなから引き離す。
【０１０６】
［実施例１］
第１のシリコーンゴム（ファクター２社製、商品名：ＶＳＴ−０５）と硬化剤（ファクター２社製、商品名：ＶＳＴ−０５−Ｃ）とを混ぜ合わせ、第１のシリコーンゴム混合物を得た。
【０１０７】
また、粘度３００ｍＰａ・ｓを有し、ポリエーテル化合物を含む第１の増粘剤と、粘度１８００ｍＰａ・ｓを有し、シリコーンポリエーテル共重合体を含む第２の増粘剤を、第１のシリコーンゴム混合物に添加した。
【０１０８】
また、第２のシリコーンゴム（ファクター２社製、商品名：ＶＳＴ−５０）と硬化剤（ファクター２社製、商品名：ＶＳＴ−５０−Ｃ）とを混ぜ合わせ、第２のシリコーンゴム混合物を得た。
【０１０９】
そして、本発明の人工乳房１の第２の層３を形成するために、乳首部を含む人工乳房の外形に対応した形状の窪み部分と窪み部分の周囲に位置する周縁部分が設けられた第１の人工乳房形成用型に、第２のシリコーンゴム混合物を塗布した。
【０１１０】
また、本発明の人工乳房１の第２の層３を形成するために、隆起部が設けられた第２の人工乳房形成用型にも、第２のシリコーンゴム混合物を塗布した。
【０１１１】
次に、本発明の人工乳房１の第１の層２を形成するために、第１の人工乳房形成用型に塗布された第２のシリコーンゴム混合物に、第１の増粘剤と第２の増粘剤が添加された第１のシリコーンゴム混合物を塗布した。
【０１１２】
また、本発明の人工乳房１の第１の層２を形成するために、第２の人工乳房形成用型に塗布された第２のシリコーンゴム混合物にも、第１の増粘剤と第２の増粘剤が添加された第１のシリコーンゴム混合物を塗布した。
【０１１３】
次に、第１の人工乳房形成用型と第２の人工乳房形成用型とを、シリコーンゴムが塗布された箇所を向かい合わせて互いに貼り合わせた。
【０１１４】
このとき、第１の人工乳房形成用型の窪んだ部分と、第２の人工乳房形成用型の隆起した部分との間には隙間が存在しており、この隙間が本発明の人工乳房１の第１の層２の内部の空洞と成る。
【０１１５】
密着させてから最低１２時間経過した後、貼り合わされた状態の第１の人工乳房形成用型と第２の人工乳房形成用型を、室温〜７０℃の温度範囲で硬化した。
【０１１６】
硬化が終わった後、第１の人工乳房形成用型から第２の人工乳房形成用型を引き離して、第１の人工乳房形成用型にシリコーンゴム成形物を残した。
【０１１７】
ここで、第１の人工乳房形成用型と第２の人工乳房形成用型とを貼り合わせて密着した周縁部分によって、本発明の人工乳房１の周縁部の薄皮部分が形成されるが、薄皮部分を全て切り離した後、本発明の人工乳房１の薄皮部５を形成するために、第２のシリコーンゴム混合物を第１の人工乳房形成用型の周縁部分に薄く塗布した。
【０１１８】
そして、第１の人工乳房形成用型を、室温〜７０℃の温度範囲で硬化した。
【０１１９】
次に、ポリエチレンシート層６を形成するために、第１の人工乳房形成用型のシリコーン成形物に厚さ１５μｍのポリエチレンシートを配置した。
【０１２０】
そして、カバー層４２を形成するために、シリコーンゴム（ファクター２社製、商品名：ＶＳＴ−５０）と硬化剤（ファクター２社製、商品名：ＶＳＴ−５０−Ｃ）の混合物をポリエチレンシートに塗布した。
【０１２１】
一方、第１のシリコーンゲル材料（冨田マテックス社製、商品名：ＧＥＬ−ＧＵＭ１０（Ａ））と第２のシリコーンゲル材料（冨田マテックス社製、商品名：ＧＥＬ−ＧＵＭ１０（Ｂ））を混ぜ合わせ、シリコーンゲル材料混合物を得た。
そして、得られたシリコーンゲル材料混合物と、シリコーンゴム（ファクター２社製、商品名：ＶＳＴ−０５）とを質量比１０：１で混合して、シリコーン混合物を得た。
【０１２２】
次に、粘着層７を形成するために、ポリエチレンシートに塗布された、シリコーンゴムと硬化剤の混合物に、シリコーン混合物を塗布し、第１の人工乳房形成用型を、室温〜７０℃の温度範囲で硬化した。
【０１２３】
そして、第１の人工乳房形成用型を取外した。
この時点の本発明の人工乳房１は、内部に空洞２Ａが形成された第１の層２と、第１の層２全体を覆った状態で第１の層２の外側部分に積層された第２の層３とを備えている。
また、第１の層２の、空洞２Ａとは反対側の湾曲した部分の一部には、突起した乳首部２Ｂが一体的に設けられている。
【０１２４】
また、この時点の本発明の人工乳房１はさらに、第２の層３に取付けられていると共に周縁部全体に設けられた薄皮部５と、第２の層３の、第１の層２とは反対側であって略平坦な部分に積層されたポリエチレンシート層６とを備えている。
【０１２５】
さらに、この時点の本発明の人工乳房１は、ポリエチレンシート層６に積層されたカバー層４２と、カバー層４２を介してポリエチレンシート層６に積層された粘着層７とを備えている。
【０１２６】
また、第１の層２を形成した直後の第１の層２の硬さをゴム硬度計「タイプＡデュロメータ」で測定したところ、硬さは「２８」であった。
また、第２の層３を形成した直後の第２の層３の硬さをゴム硬度計「タイプＡデュロメータ」で測定したところ、硬さは「３１」であった。
【０１２７】
また、第１の層２を形成してから約２年後に、第１の層２の硬さをゴム硬度計「タイプＡデュロメータ」で再び測定したところ、硬さは「２９」であり、柔らかさが持続していることを確認した。
【０１２８】
また、得られた本発明の人工乳房１に様々な角度から力を加えて変形させても不自然なシワは生じなかった。
【０１２９】
次に、筆を用いて着色料を、第２の層３の、第１の層２とは反対側であって湾曲した部分に塗布した。
着色料を塗布された本発明の人工乳房１を、室温〜７０℃の温度範囲で硬化して着色層４１を形成した。
【０１３０】
そして、シリコーンゴム（ファクター２社製、商品名：ＶＳＴ−５０）と硬化剤（ファクター２社製、商品名：ＶＳＴ−５０−Ｃ）の混合物を、着色層４１の、第２の層３とは反対側に塗布した。
塗布後、本発明の人工乳房１を、室温〜７０℃の温度範囲で硬化してカバー層４２を形成した。
【０１３１】
さらに、シクロヘキサンを含むアセトキシ分散剤（ファクター２社製、製品コード：ＭＤ−５６４）とシリコーン接着剤（ファクター２社製、商品名：Ａ−５６４）の混合物を、カバー層４２の、着色層４１とは反対側に塗布した。
塗布後、本発明の人工乳房１を、室温〜７０℃の温度範囲で硬化して反射抑制層４３を形成した。
【０１３２】
得られた本発明の人工乳房１は、着色層４１に基づく外部彩色によって人間の肌の質感に近似したものとなり、また、カバー層４２によって、近似させた人間の肌の質感を維持し易くなり、さらに、反射抑制層４３によって本発明の人工乳房１の表面の光の反射が抑えられ、より一層、人間の肌の質感に近似したものとなっていた。
【０１３３】
［実施例２］
第１のシリコーンゴム（ファクター２社製、商品名：ＶＳＴ−０５）と硬化剤（ファクター２社製、商品名：ＶＳＴ−０５−Ｃ）とを混ぜ合わせ、第１のシリコーンゴム混合物を得た。
【０１３４】
さらに、粘度３００ｍＰａ・ｓを有し、ポリエーテル化合物を含む第１の増粘剤と、粘度１８００ｍＰａ・ｓを有し、シリコーンポリエーテル共重合体を含む第２の増粘剤を、第１のシリコーンゴム混合物に添加した。
【０１３５】
また、第２のシリコーンゴム（ファクター２社製、商品名：ＶＳＴ−５０）と、硬化剤（ファクター２社製、商品名：ＶＳＴ−５０−Ｃ）とを混ぜ合わせ、第２のシリコーンゴム混合物を得た。
【０１３６】
そして、本発明の人工乳首１１の本体層１２の第２の本体構成層１２Ｂを形成するために、乳頭部を含む人工乳首の外形に対応した形状の窪み部分と窪み部分の周囲に位置する周縁部分が設けられた人工乳首形成用型に、第２のシリコーンゴム混合物を塗布した。
【０１３７】
次に、本発明の人工乳首１１の本体層１２の第１の本体構成層１２Ａを形成するために、人工乳首形成用型に塗布された第２のシリコーンゴム混合物に、第１の増粘剤と第２の増粘剤が添加された第１のシリコーンゴム混合物を塗布した。
【０１３８】
また、本発明の人工乳首１１の本体層１２の第３の本体構成層１２Ｃを形成するために、第１の増粘剤と第２の増粘剤が添加された第１のシリコーンゴム混合物に、第２のシリコーンゴム混合物を塗布した。
【０１３９】
次に、第１の増粘剤と第２の増粘剤が添加された第１のシリコーンゴム混合物と、第２のシリコーンゴム混合物とが塗布された人工乳首形成用型を、シリコーンゴム混合物を室温〜７０℃の温度範囲で硬化した。
【０１４０】
一方、第１のシリコーンゲル材料（冨田マテックス社製、商品名：ＧＥＬ−ＧＵＭ１０（Ａ））と第２のシリコーンゲル材料（冨田マテックス社製、商品名：ＧＥＬ−ＧＵＭ１０（Ｂ））を混ぜ合わせ、シリコーンゲル材料混合物を得た。
そして、得られたシリコーンゲル材料混合物と、シリコーンゴム（ファクター２社製、商品名：ＶＳＴ−０５）とを質量比１０：１で混合して、シリコーン混合物を得た。
【０１４１】
次に、粘着層１５を形成するために、本体層１２の第３の本体構成層１２Ｃに、シリコーン混合物を塗布し、人工乳首形成用型を、室温〜７０℃の温度範囲で硬化した。
【０１４２】
硬化が終わった後、人工乳首形成用型を取外した。
この時点の本発明の人工乳首１１は本体層１２を備えており、本体層１２は、第１の本体構成層１２Ａと、第２の本体構成層１２Ｂと、第３の本体構成層１２Ｃとで構成されている。
【０１４３】
すなわち、第１の本体構成層１２Ａの一方側の一部には、突起した乳頭部１２Ａａが一体的に設けられている。
また、第２の本体構成層１２Ｂは、第１の本体構成層１２Ａの、乳頭部１２Ａａが設けられた一方側に積層されている。
さらに、第３の本体構成層１２Ｃは、第１の本体構成層１２Ａの乳頭部１２Ａａが設けられた一方側とは反対側に積層されている。
【０１４４】
また、本体層１２を形成した直後の本体層１２の硬さをゴム硬度計「タイプＡデュロメータ」で測定したところ、硬さは「２７」であった。
また、本体層１２を形成して約２年後に、本体層１２の硬さをゴム硬度計「タイプＡデュロメータ」で再び測定したところ、硬さは「２８」であり、柔らかさが持続していることを確認した。
【０１４５】
次に、筆を用いて着色料を、第２の本体構成層１２Ｂの、第１の本体構成層１２Ａとは反対側に塗布した。
着色料を塗布された本発明の人工乳首１１を、室温〜７０℃の温度範囲で硬化して着色層１３１を形成した。
【０１４６】
そして、シリコーンゴム（ファクター２社製、商品名：ＶＳＴ−５０）と硬化剤（ファクター２社製、商品名：ＶＳＴ−５０−Ｃ）の混合物を、着色層１３１の、第２の本体構成層１２Ｂとは反対側に塗布した。
塗布後、本発明の人工乳首１１を、室温〜７０℃の温度範囲で硬化してカバー層１３２を形成した。
【０１４７】
さらに、シクロヘキサンを含むアセトキシ分散剤（ファクター２社製、製品コード：ＭＤ−５６４）とシリコーン接着剤（ファクター２社製、商品名：Ａ−５６４）の混合物を、カバー層１３２の、着色層１３１とは反対側に塗布した。
塗布後、本発明の人工乳首１１を、室温〜７０℃の温度範囲で硬化して反射抑制層１３３を形成した。
【０１４８】
得られた本発明の人工乳首１１は、着色層１３１に基づく外部彩色によって人間の肌の質感に近似したものとなり、また、カバー層１３２によって、近似させた人間の肌の質感を維持し易くなり、さらに、反射抑制層１３３によって本発明の人工乳首１１の表面の光の反射が抑えられ、より一層、人間の肌の質感に近似したものとなっていた。
【０１４９】
以上のように、本発明の人工乳房は、シリコーンゴムと粘度が互いに異なる少なくとも２種類の増粘剤との混合物を含んで構成された第１の層を備えているので、このような増粘剤を含まない人工乳房よりも柔らかい上に、その柔らかさを長期間持続させることができる。
【０１５０】
また、本発明の人工乳房は、シリコーンゴムと粘度が互いに異なる少なくとも２種類の増粘剤との混合物を含んで構成された第１の層と、第１の層よりも外側に配置されており、第１の層よりも硬い第２の層とによって、内側から外側へ向けて段階的に硬くなっているので、外部から力を付与されても不自然なシワを生じ難い。
【０１５１】
従って、本発明の人工乳房は、人間の乳房と比べて不自然になり難い。
【０１５２】
また、本発明の人工乳房はその柔らかさから、ブラジャーに入れられても柔軟に形を変えることができ、胸元の谷間ができるようになる。
【０１５３】
また、本発明の人工乳首も、シリコーンゴムと粘度が互いに異なる少なくとも２種類の増粘剤との混合物を含んで構成された本体層を備えているので、このような増粘剤を含まない人工乳首よりも柔らかい上に、その柔らかさを長期間持続させることができる。
【０１５４】
また、本発明の人工乳首は着色層を備えており、この着色層は本体層よりも外側に配置されており、着色料を含んで構成されているので、外部彩色とすることができ、シリコーンゴムが着色料を含む内部彩色の場合よりも人間の肌の質感に近似させることができる。
【０１５５】
さらに、本発明の人工乳首はカバー層を備えており、このカバー層は着色層よりも外側に配置されており、着色層の剥離を抑制可能であるので、近似させた人間の肌の質感を維持できる。
【０１５６】
また、本発明の人工乳首は反射抑制層を備えており、この反射抑制層はカバー層よりも外側に配置されており、カバー層または着色層の光の反射を抑制可能であるので、さらに人間の肌の質感に近似させることができる。
【０１５７】
従って、本発明の人工乳首は、主に外観の点で人間の乳首と比べて不自然になり難い。
【符号の説明】
【０１５８】
１        人工乳房
２        第１の層
２Ａ      空洞
２Ｂ      乳首部
３        第２の層
４        外被層
４１      着色層
４１Ａ    乳首領域
４１Ａａ  乳頭領域
４１Ａｂ  乳輪領域
４２      カバー層
４３      反射抑制層
５        薄皮部
６        ポリエチレンシート層
７        粘着層
８        胸部
９        貫通孔
１１        人工乳首
１２        本体層
１２Ａ      第１の本体構成層
１２Ａａ    乳頭部
１２Ｂ      第２の本体構成層
１２Ｃ      第３の本体構成層
１３        外被層
１３１      着色層
１３２      カバー層
１３３      反射抑制層
１４        薄皮部
１５        粘着層
【要約】
人工乳房１は、第１の層２と、第２の層３と、外被層４とを備える。第１の層２は、シリコーンゴムと、粘度が互いに異なる少なくとも２種類の増粘剤との混合物を含んで構成されている。第１の層２の内部には空洞２Ａが形成されている。第２の層３は、第１の層２よりも硬い層であり、第１の層２全体を覆った状態で第１の層２の外側部分に積層されている。外被層４は、第２の層３の、第１の層２とは反対側であって湾曲した部分に積層されている。外被層４は、着色層４１と、カバー層４２と、反射抑制層４３とで構成されている。カバー層４２は、着色層４１よりも外側に配置され、反射抑制層４３は、カバー層４２よりも外側に配置されている。【図１】
0006942405.tif 000002
【図２】
0006942405.tif 000003
【図３】
0006942405.tif 000004
【図４】
0006942405.tif 000005
【図５】
0006942405.tif 000006